(57)【要約】【課題】２個の錠装置を用いて防犯性を高めるものでありながら、意匠性の向上、操作方法の共通化を図る。【解決手段】扉体１の戸先側に設けた上側のロッド錠６、下側のロッド錠７は、扉体１内に埋設した錠本体６０、７０と、扉体１の面部に設けた操作部６２，６３，７２，７３と、操作部による施錠操作によって、扉体１の上面から上方に突出する係止ロッド６１，７１と、を備えており、開口部全閉状態において、扉体の上面から上方に突出する２本の係止ロッド６１，７１が上枠側の被係止部に係止する。２本の係止ロッド６１，７１は、扉体１の扉芯Ｃに対して見込方向に互いに異なる側に偏芯しており、２個の錠装置６，７は共通のバックセットＬ１，Ｌ２で扉体１に設けられる【選択図】図３
2011111718.tif 000002
【特許請求の範囲】
【請求項１】
扉体の戸先側に設けた上側のロッド錠と下側のロッド錠からなり、各ロッド錠は、扉体内に埋設した錠本体と、扉体の面部に設けた操作部と、操作部による施錠操作によって、扉体の上面から上方に突出する係止ロッドと、を備えており、開口部全閉状態において、扉体の上面から上方に突出する２本の係止ロッドが上枠側の被係止部に係止することで、扉体の開放方向の移動を規制する、引戸の施錠装置。
【請求項２】
前記２本の係止ロッドは、扉体の扉芯に対して見込方向に互いに異なる側に偏芯しており、前記２個の錠装置は共通のバックセットで扉体に設けられる、請求項１に記載の施錠装置。
【発明の詳細な説明】
【技術分野】
【０００１】
本発明は、引戸の施錠装置に関するものである。
【背景技術】
【０００２】
現在、引戸用錠前としては、ロッド錠と鎌錠が知られている。ロッド錠は、施錠操作によって、１本の係止ロッドを扉体の上面から突出させて、上枠側の被係止部に係止させるものである（特許文献１参照）。鎌錠は、施錠操作によって、１つの回動係止フックを扉体の戸先側端面から突出させ、戸先側縦枠の被係止部に係止させるものである（特許文献２参照）。
【０００３】
典型的には、引戸の扉体に限らず扉体一般において、扉体には１個の錠前が設置される。しかしながら、最近では、防犯性を高めたり、管理者用と一般用で用途を区分したりする為に錠前を２個使用するケースが増えてきた。引戸装置に２個の錠前を設置するには、単純には、扉体にロッド錠と鎌錠を取り付けることが考えられるが、両錠前の意匠及び操作方法が異なることから、扉体全体の美観を損ねると共に、ユーザにとって使い勝手が悪いという不具合がある。一方、同種の錠前を２個用いるとしても、意匠性、納まり等において解決すべき課題がある。また、鎌錠はロッド錠に比べて防犯性が高いと考えられるが、戸先側ゴムを備えた扉体に鎌錠を取り付ける場合には、戸先側ゴム（典型的には緩やかに膨出する湾曲面となっている）を部分的にフラット状に切り欠く必要があるため、鎌錠を２個設けるとすれば、それだけ扉体の美観を損ねてしまうことになる。
【特許文献１】実開平３−３７１５７
【特許文献２】特許第４０７００６３号
【発明の開示】
【発明が解決しようとする課題】
【０００４】
本発明は、２個の錠装置を用いて防犯性を高めるものでありながら、意匠性の向上、操作方法の共通化を図ることができる引戸の施錠装置を提供することを目的とする。
【課題を解決するための手段】
【０００５】
本発明が採用した技術手段は、扉体の戸先側に設けた上側のロッド錠と下側のロッド錠からなり、各ロッド錠は、扉体内に埋設した錠本体と、扉体の面部に設けた操作部と、操作部による施錠操作によって、扉体の上面から上方に突出する係止ロッドと、を備えており、開口部全閉状態において、扉体の上面から上方に突出する２本の係止ロッドが上枠側の被係止部に係止することで、扉体の開放方向の移動を規制する、引戸の施錠装置、である。
【０００６】
１つの態様では、前記２本の係止ロッドは、扉体の扉芯に対して見込方向に互いに異なる側に偏芯しており、前記２個の錠装置は共通のバックセットで扉体に設けられる。
本明細書において、「扉芯」とは、扉体の見込方向（厚さ方向）の中心を通る面を言う。２次元面で見た場合には、扉芯は中心線として現れる。より具体的には、扉芯は、平面視においては、扉体の幅方向に延びる中心線、側面視においては、扉体の高さ方向に延びる中心線となる。
本明細書において、「バックセット」とは、扉体の戸先側端面から錠シリンダ・サムターンの中心までの距離を言う。扉体の面部には、錠本体から操作部（サムターン等のつまみ）が突出しているため、扉体はかかる操作部を越えて戸袋内に引き込まれることがなく、したがって、バックセットは、開口部全開状態において扉体の引き残し寸法を決定する。
【０００７】
１つの態様では、前記２個の錠装置の錠本体は、扉体の扉芯に対して見込方向に互いに異なる側に偏芯している。
１つの態様では、前記２個の錠装置の錠本体は、扉体の扉芯に対して見込方向に同じ側に偏芯しており、一方の錠装置の係止ロッドは、当該錠本体の偏芯側と反対側に持ち出すように錠本体に支持されている。
【発明の効果】
【０００８】
本発明では、扉体の戸先側に設けた上側のロッド錠と下側のロッド錠からなり、各ロッド錠は、扉体内に埋設した錠本体と、扉体の面部に設けた操作部と、操作部による施錠操作によって、扉体の上面から上方に突出する係止ロッドと、を備えており、開口部全閉状態において、扉体の上面から上方に突出する２本の係止ロッドが上枠側の被係止部に係止することで、扉体の開放方向の移動を規制するので、２個の錠装置を用いて防犯性を高めることができるものでありながら、意匠・操作方法が同じである同種の錠装置を用いて、意匠性の向上、操作方法の共通化を図ることができる。
【０００９】
２本の係止ロッドは、扉体の扉芯に対して見込方向に互いに異なる側に偏芯しており、前記２個の錠装置は共通のバックセットで扉体に設けるようにすることで、同じ形状・寸法の錠本体、操作部から構成された錠装置を用いるものでありながら、係止ロッドの上下方向の動きが干渉することを防止して、上下の錠装置のバックセットを合わせることができ、扉体の意匠性を損ねることがなく、また、上述のようにバックセットは扉体の引き残し寸法を決定するため、上下の錠装置でバックセットを合わせることにより、開口部全開状態において不要な引き残しが生じることもない。
【図面の簡単な説明】
【００１０】
【図１】全閉状態にある引戸装置の全体正面図である。
【図２】扉体の全体正面図である。
【図３】図３（Ａ）は扉体を戸先側から見た内観図であり、図３（Ｂ）は、上側のロッド錠の高さ位置における扉体の部分断面図、図３（Ｃ）は、下側のロッド錠の高さ位置における扉体の部分断面図、図３（Ｄ）は、扉体の部分上面図である。
【図４】図４（Ａ）は扉体を戸先側から見た内観図であり、図４（Ｂ）は、上側のロッド錠の高さ位置における扉体の部分断面図、図４（Ｃ）は、下側のロッド錠の高さ位置における扉体の部分断面図、図４（Ｄ）は、扉体の部分上面図である。
【発明を実施するための形態】
【００１１】
図１は、全閉状態にある引戸装置の全体正面図であり、引戸装置の扉体１は、上枠２、床面３、戸先側縦枠４、戸尻側の戸袋５で形成される開口部を開閉するようになっている。扉体１は、正面視縦長方形状であり、第１面部１０、第２面部１１、上面１２、下面１３、戸先側端面１４、戸尻側端面１５を備えている。第１面部１０、第２面部１１には、高さ方向の中間部位の戸先側に位置して取手としての引き棒１６が設けてある。本実施形態では、図２乃至図４に示すように、扉体１の戸先側には、扉体１の高さ方向に亘って、戸先ゴム１４０が装着されており、戸先側ゴム１４０の面が戸先側端面１４となっている。
【００１２】
図２は、扉体１の全体図であり、扉体１には２つのロッド錠６、７が設けてある。扉体１の高さ方向において、ロッド錠６が上側、ロッド錠７が下側にそれぞれ位置している。ロッド錠６は、扉体１内に埋設された錠本体６０と、施錠時には上端部が扉体１の上面１２から突出し、解錠時には上端部が扉体１内に退避する係止ロッド６１と、を備えている。ロッド錠７は、扉体１内に埋設された錠本体７０と、施錠時には上端部が扉体１の上面１２から突出し、解錠時には上端部が扉体１内に退避する係止ロッド７１と、を備えている。係止ロッド６１、７１の上端は、解錠時において、扉体１の上面１２に近接する高さに位置している。
【００１３】
ロッド錠６は、図３、図４に示すように、第１面部１０に設けた第１操作部（鍵孔）６２と、第２面部１１に設けた第２操作部（回動つまみ）６３と、を備えている。同様に、ロッド錠７は、第１面部１０に設けた第１操作部（鍵孔）７２と、第２面部１１に設けた第２操作部（つまみ）７３を備えている。第１操作部６２、７２あるいは第２操作部６３、７３の施錠・解錠操作によって、係止ロッド６１、係止ロッド７１は上動・下動するようになっている。開口部全閉状態において、それぞれの操作部６２、７２、６３、７３によって係止ロッド６１、係止ロッド７１を上動させて、上端部を、上枠２内の被係止部（図示せず）に係止させることで、扉体１の開放方向の移動を規制する。
【００１４】
本発明に係る施錠装置の第１の実施形態を図３に基づいて説明する。図３（Ａ）は扉体１を戸先側から見た内観図であり、図３（Ｂ）は、ロッド錠６の高さ位置における扉体の部分断面図、図３（Ｃ）は、ロッド錠７の高さ位置における扉体の部分断面図、図３（Ｄ）は、扉体の部分上面図である。図３（Ｂ）と図３（Ｃ）を見比べると共に、図３（Ｄ）を見ると明らかなように、ロッド錠６（錠本体６０及び係止ロッド６１）とロッド錠７（錠本体７０及び係止ロッド７１）は、扉体１の扉芯Ｃに対して、扉体１の見込方向（厚さ方向）に偏芯している。
【００１５】
図３（Ｂ）に示すように、ロッド錠６の錠本体６０は、扉体１の上側の高さ位置において、第２面部１１側に偏芯した位置に配置されており、錠本体６０の戸先側に係止ロッド６１が上下動可能に設けてある。係止ロッド６１は、第２面部１１側に偏芯した位置において垂直状に延びている。ロッド錠６のバックセットはＬ１である。
【００１６】
図３（Ｃ）に示すように、ロッド錠７の錠本体７０は、扉体１の下側の高さ位置において、第１面部１０側に偏芯した位置に配置されており、錠本体７０の戸先側に係止ロッド７１が上下動可能に設けてある。係止ロッド７１は、第１面部１０側に偏芯した位置において垂直状に延びている。ロッド錠７のバックセットはＬ２であり、ロッド錠６のバックセットＬ１と同じ寸法である。
【００１７】
扉体１の上面１２の戸先側部位には、２本の係止ロッド６１、７１の上端部を上下方向に案内するための係止ロッドガイド８が設けてある。係止ロッドガイド８には、扉体１の見込方向に並んで２つのガイド孔が形成されている。２本の係止ロッド６１、７１は平面視において扉体１の見込方向に並んだ位置関係で、上端部がガイド孔に案内されながら、上下動するようになっている。
【００１８】
従来、ロッド錠は、扉体の扉芯に沿って配置されているが、本実施形態では、２個の錠本体６０、７０及び係止ロッド６１、７１を、扉体１の見込方向に互いに異なる側に偏芯させることで、２本の係止ロッド６１、７１の上下方向の動きが干渉することを防止し、同じ形状・寸法の錠本体６０、７０、操作部６２、６３、７２、７３から構成されたロッド錠６とロッド錠７を、バックセットＬ１、Ｌ２を合わせて、扉体１の上下に間隔を存して配置することができる。
【００１９】
本発明に係る施錠装置の第２の実施形態を図４に基づいて説明する。図４（Ａ）は扉体１を戸先側から見た内観図であり、図４（Ｂ）は、ロッド錠６の高さ位置における扉体の部分断面図、図４（Ｃ）は、ロッド錠７の高さ位置における扉体の部分断面図、図４（Ｄ）は、扉体の部分上面図である。図４（Ｄ）に示すように、ロッド錠６の係止ロッド６１とロッド錠７の係止ロッド７１は、扉体１の扉芯Ｃに対して、扉体１の見込方向（厚さ方向）に、それぞれ異なる側に偏芯して設けられている。一方、図４（Ｂ）と図４（Ｃ）を見比べると明らかなように、ロッド錠６の錠本体６０とロッド錠７の錠本体７１は、扉体１の扉芯Ｃに対して、扉体１の見込方向（厚さ方向）に同じ側に偏芯して設けられている。
【００２０】
図４（Ｂ）に示すように、ロッド錠６の錠本体６０は、扉体１の上側の高さ位置において、第１面部１０側に偏芯した位置に配置されており、錠本体６０の戸先側に係止ロッド６１が上下動可能に設けてある。係止ロッド６１は、第１面部１０側に偏芯した位置において垂直状に延びている。ロッド錠６のバックセットはＬ１である。
【００２１】
図４（Ｃ）に示すように、ロッド錠７の錠本体７０は、扉体１の下側の高さ位置において、第１面部１０側に偏芯した位置に配置されており、錠本体７０の戸先側に係止ロッド７１が、第２面部１１側に偏芯させて上下動可能に設けてある。より具体的には、図４（Ａ）に示すように、係止ロッド７１の下端部を支持する支持部材９は、錠本体７０からさらに第２面部１１側に延びており、係止ロッド７１の下端部を第２面部１１側に持ち出した状態で支持している。係止ロッド７１は、第２面部１１側に偏芯した位置において垂直状に延びている。ロッド錠７のバックセットはＬ２であり、ロッド錠６のバックセットＬ１と同じ寸法である。
【００２２】
扉体１の上面１２の戸先側部位には、２本の係止ロッド６１、７１の上端部を上下方向に案内するための係止ロッドガイド８が設けてある。係止ロッドガイド８には、扉体１の見込み方向に並んで２つのガイド孔が形成されている。２本の係止ロッド６１、７１は平面視において扉体１の見込方向に並んだ位置関係で、上端部がガイド孔に案内されながら、上下動するようになっている。
【００２３】
本実施形態では、２個の錠本体６０、７０を、扉体１の見込方向に同じ側に偏芯させ、一方の係止ロッド７１を錠本体７０に対して当該錠本体７０の偏芯側とは反対側に持ち出して支持して、係止ロッド６１、７１を、扉体１の見込方向に互いに異なる側に偏芯させることで、２本の係止ロッド６１、７１の上下方向の動きが干渉することを防止し、同じ形状・寸法の錠本体６０、７０、操作部６２、６３、７２、７３から構成されたロッド錠６とロッド錠７を、バックセットＬ１、Ｌ２を合わせて、扉体１の上下に間隔を存して配置することができる。
【００２４】
第１の実施形態、第２の実施形態において、扉体１の戸先側端面１４は、戸先ゴム１４０で隠蔽されており、ロッド錠６、７の錠本体６０，７０、係止ロッド６１、７１が扉体１の厚さ内において、偏芯して設けてあることは、外観からはわからないので意匠上の問題はない。また、鎌錠のように、回動係止フックのための開口を扉体１の戸先側端面１４に切り欠き形成する必要が無いので、美観的にも良好である。
【００２５】
同種の錠装置であるロッド錠６、７が上下に取り付けられるので、複数の錠装置において操作方法・意匠が統一される。２本の係止ロッド６１、７１がいずれも扉体１の上面１２から上方に突出することで施錠するものであるので、係止ロッドを扉体１の下面から下方に突出させる場合のように、床面に係止孔を形成する必要がない。
【００２６】
２本の係止ロッド６０、７１は、扉体１の扉芯Ｃに対して見込方向に互いに異なる側に偏芯しており、係止ロッド６１、７１の上下方向の動きが干渉することが無いので、同じ形状・寸法の錠本体６０、７０、操作部６２、６３、７２、７３から構成されたロッド錠６とロッド錠７を、バックセットＬ１、Ｌ２を合わせて、扉体１の上下に間隔を存して配置することができる。上下のロッド錠６，７のバックセットを合わせることで、意匠上も良好であると共に、バックセットが異なる場合に生じる無駄な引き残しも無い。具体的に説明すると以下のとおりである。扉体の面部には、錠本体から操作部（サムターン等のつまみ）が突出しているため、扉体はかかる操作部を越えて戸袋内に引き込まれることがなく、したがって、バックセットは、開口部全開状態において扉体の引き残し寸法を決定する。バックセットが上下で異なる場合には、扉体の引き残し寸法は、戸先側端部からより離隔したバックセットによって決定されるため、無駄な引き残しが生じてしまい、それだけ開口部全開状態における開口幅を狭めてしまう。本発明では、図３（Ｂ）、図４（Ｂ）に示すように、扉体１の第２面部１１には、戸先側に位置して錠本体６０から操作部６３が突成されており、図３（Ｃ）、図４（Ｃ）に示すように、扉体１の第２面部１１には、戸先側に位置して錠本体７０から操作部７３が突成されているが、上下のロッド錠６、７のバックセットＬ１、Ｌ２が同じであるため、無駄な引き残しが生じるようなことはない。
【符号の説明】
【００２７】
１  扉体
１０  第１面部
１１  第２面部
１２  上面
６  ロッド錠
６０  錠本体
６１  係止ロッド
７  ロッド錠
７０  錠本体
７１  係止ロッド
Ｃ  扉芯
【図１】
2011111718.tif 000003
【図２】
2011111718.tif 000004
【図３】
2011111718.tif 000005
【図４】
2011111718.tif 000006